(57)【要約】  本発明は、薬物リマインダーおよび服薬遵守方法および装置（１０）に関する。日毎の服用量情報を含む日付特定カレンダーが、ラベル（６２、６６）あるいは情報シート（６０、６７）として生成される。
2005509211.tif 000002
【特許請求の範囲】
【請求項１】
個人が服用すべき薬物に関係する情報を生成し、
特定された日に対する日毎の服用情報を含むカレンダーを生成し、さらに
前記個人によって参照されるべく前記カレンダーと薬物情報とを一枚のシート上に結合する、各ステップを含む、薬物リマインダーおよび服薬遵守方法。
【請求項２】
請求項１に記載の方法において、前記一枚のシートは薬物容器に添付されるように構成されたラベルである、薬物リマインダーおよび服薬遵守方法。
【請求項３】
請求項１に記載の方法において、前記一枚のシートは薬物情報シートである、薬物リマインダーおよび服薬遵守方法。
【請求項４】
請求項１に記載の方法において、異なる複数の薬物に関する日毎の服用量情報がカレンダー上に含まれている、薬物リマインダーおよび服薬遵守方法。
【請求項５】
請求項１に記載の方法において、前記カレンダーは、特定の薬物の服用をスケジュールに従って何時行うかを示すために個人によって使用可能な印を含む、薬物リマインダーおよび服薬遵守方法。
【請求項６】
請求項５に記載の方法において、前記印は、複数のチェックボックス、時間指定、パンチアウト部分、剥ぎ取り部分およびスクラッチ部分の少なくとも１個を含む、薬物リマインダーおよび服薬遵守方法。
【請求項７】
請求項１に記載の方法において、前記カレンダーは、薬物を服用するべくスケジュールされたそれぞれの日に対して個別の、日毎の服用量情報を含み、前記それぞれの日はカレンダー上の特定の日付によって参照されるものである、薬物リマインダーおよび服薬遵守方法。
【請求項８】
請求項１に記載の方法において、カレンダー上のそれぞれの日は、特定の服用量を取るべき時間を表す服用量情報を含む、薬物リマインダーおよび服薬遵守方法。
【請求項９】
請求項１に記載の方法において、前記薬物情報は薬を取るための指示を含む、薬物リマインダーおよび服薬遵守方法。
【請求項１０】
請求項１に記載の方法において、前記薬物情報は、個人の名前、薬品名、薬局名、および医者の名前の少なくとも１個を含む、薬物リマインダーおよび服薬遵守方法。
【請求項１１】
請求項１に記載の方法において、前記薬物情報は、薬物に関する注意リストを含む、薬物リマインダーおよび服薬遵守方法。
【請求項１２】
請求項１に記載の方法において、前記カレンダーは、関連する日毎の服用量情報を伴う日付のグリッドおよび日付のリストの一方を含む、薬物リマインダーおよび服薬遵守方法。
【請求項１３】
請求項１に記載の方法において、前記個人が、通信ネットワークを介してメインコンピュータにアクセスするためにリモートコンピュータを使用して一枚のシートを発生させる、薬物リマインダーおよび服薬遵守方法。
【請求項１４】
個人に対して薬物を服用するようにスケジュールされた期間の日数を選択し、
薬物治療のための開始日を選択し、
前記個人によって日毎に服用される服用回数を選択し、さらに
前記選択されたステップに基づいて前記薬物に対するそれぞれの日の日毎の服用量インジケータを含む日付特定カレンダーを生成する、各ステップを含む、薬物リマインダーおよび服薬遵守方法。
【請求項１５】
請求項１４に記載の方法において、前記薬物治療のための期間の日数を選択するステップは、選択するための数値オプションをリストするメニューから選択するステップを含む、薬物リマインダーおよび服薬遵守方法。
【請求項１６】
請求項１４に記載の方法において、さらに、日毎の服用量の変更を必要とする日を特定し、さらに前記特定するステップにおいて特定されたそれぞれの日に対し日毎の服用量を修正する、各ステップを含む、薬物リマインダーおよび服薬遵守方法。
【請求項１７】
請求項１４に記載の方法において、前記生成するステップは、ディスプレイ上にカレンダーを表示し、必要な場合このカレンダーを修正しさらにこのカレンダーを印刷するステップを含む、薬物リマインダーおよび服薬遵守方法。
【請求項１８】
請求項１４に記載の方法において、さらに、薬物に関する情報を生成し、該薬物情報を一枚の参照シート上の日付を特定するカレンダーに結合するステップを備える、薬物リマインダーおよび服薬遵守方法。
【請求項１９】
請求項１８に記載の方法において、前記一枚の参照シートは薬物容器に添付されるように構成されたラベルである、薬物リマインダーおよび服薬遵守方法。
【請求項２０】
請求項１８に記載の方法において、前記一枚の参照シートは薬物情報シートである、薬物リマインダーおよび服薬遵守方法。
【請求項２１】
請求項１８に記載の方法において、前記薬物情報は薬を取るための指示を含む、薬物リマインダーおよび服薬遵守方法。
【請求項２２】
請求項１８に記載の方法において、前記薬物情報は、患者名、薬の名前、薬局名および医者の名前の少なくとも１個を含む、薬物リマインダーおよび服薬遵守方法。
【請求項２３】
請求項１８に記載の方法において、前記薬物情報は、薬物に関する注意のリストを含む、薬物リマインダーおよび服薬遵守方法。
【請求項２４】
請求項１４に記載の方法において、さらに、複数の異なる薬物に対して前記３つの選択ステップを繰り返すステップを含み、前記生成ステップはカレンダー上に複数の異なる薬物に関する日毎の服用量情報を含む、薬物リマインダーおよび服薬遵守方法。
【請求項２５】
請求項１４に記載の方法において、前記カレンダーは、特定の薬物服用量をスケジュール通りに何時服用するかを示すために個人によって使用可能な印を含む、薬物リマインダーおよび服薬遵守方法。
【請求項２６】
請求項２５に記載の方法において、前記印は、複数のチェックボックス、時間指定、パンチアウト部分、剥ぎ取り部分およびスクラッチ部分の少なくとも１個を含む、薬物リマインダーおよび服薬遵守方法。
【請求項２７】
請求項１４に記載の方法において、前記カレンダーは、薬物を服用するべくスケジュールされたそれぞれの日に対して個別の、日毎の服用量情報を含み、前記それぞれの日はカレンダー上の特定の日付によって参照されるものである、薬物リマインダーおよび服薬遵守方法。
【請求項２８】
請求項１４に記載の方法において、それぞれの日は、特定の服用量を取るべき時間を表す服用量情報を含む、薬物リマインダーおよび服薬遵守方法。
【請求項２９】
請求項１４に記載の方法において、前記カレンダーは、関連する日毎の服用量情報を伴う日付のグリッドおよび日付のリストの一方を含む、薬物リマインダーおよび服薬遵守方法。
【請求項３０】
請求項１４に記載の方法において、前記個人は、通信ネットワークを介してメインコンピュータにアクセスするためにリモートコンピュータを使用して一枚のシートを発生させる、薬物リマインダーおよび服薬遵守方法。
【請求項３１】
個人に対し薬物を服用するようにスケジュールされた期間の日数を選択する手段、
前記個人がそれぞれの日に服用すべき薬物の服用回数を選択するための手段、および
前記薬物を服用すべくスケジュールされたそれぞれの日に対する日毎の服用量インジケータを含む日付特定カレンダーを生成するための手段、を備える、薬物リマインダーおよび服薬遵守装置。
【請求項３２】
請求項３１に記載の装置において、さらに、毎日の服用量の変更を要する日を特定するための手段と、前記特定するための手段において特定されたそれぞれの日に対し日毎の服用量を修正する為の手段を備える、薬物リマインダーおよび服薬遵守装置。
【請求項３３】
請求項３１に記載の装置において、前記生成する手段は、ディスプレイ上にカレンダーを表示するための手段と、必要な場合前記カレンダーを修正するための手段および前記カレンダーを印刷するための手段を備える、薬物リマインダーおよび服薬遵守装置。
【請求項３４】
請求項３１に記載の装置において、さらに、薬物に関する情報を生成するための手段および前記薬物情報を一枚の参照シート上の日付特定カレンダーに結合する手段を備える、薬物リマインダーおよび服薬遵守装置。
【請求項３５】
請求項３４に記載の装置において、前記一枚の参照シートは薬物容器に添付されるように構成されたラベルである、薬物リマインダーおよび服薬遵守装置。
【請求項３６】
請求項３４に記載の装置において、前記一枚の参照シートは薬物情報シートである、薬物リマインダーおよび服薬遵守装置。
【請求項３７】
請求項３４に記載の装置において、前記薬物情報は薬を取るための指示を含む、薬物リマインダーおよび服薬遵守装置。
【請求項３８】
請求項３４に記載の装置において、前記薬物情報は、患者名、薬の名前、薬局名および医者の名前の少なくとも１個を含む、薬物リマインダーおよび服薬遵守装置。
【請求項３９】
請求項３４に記載の装置において、前記薬物情報は前記薬物に関係する注意のリストを含む、薬物リマインダーおよび服薬遵守装置。
【請求項４０】
請求項３１に記載の装置において、前記カレンダーは、何時特定の薬物服用量をスケジュールにしたがって服用するかを指示するために前記個人によって使用可能な印を含む、薬物リマインダーおよび服薬遵守装置。
【請求項４１】
請求項４０に記載の装置において、前記印は、複数のチェックボックス、時間指定、パンチアウト部分、剥ぎ取り部分およびスクラッチ部分の少なくとも１個を含む、薬物リマインダーおよび服薬遵守装置。
【請求項４２】
請求項３１に記載の装置において、前記カレンダーは、薬物を服用するべくスケジュールされたそれぞれの日に対して個別の日毎の服用量情報を含み、前記それぞれの日はカレンダー上の特定の日付によって参照されるものである、薬物リマインダーおよび服薬遵守装置。
【請求項４３】
請求項３１に記載の装置において、それぞれの日は、特定の服用量を服用すべき時間を示す服用情報を含む、薬物リマインダーおよび服薬遵守装置。
【請求項４４】
請求項３１に記載の装置において、前記カレンダーは、関連する日毎の服用量情報を伴う日付のグリッドおよび日付のリストの一方を含む、薬物リマインダーおよび服薬遵守装置。
【請求項４５】
請求項３６に記載の装置において、前記情報シートは、この情報シートが取外し可能な様に表面に添付されることを可能とするために軽い仮留め用の粘着物質を含む、薬物リマインダーおよび服薬遵守装置。
【発明の詳細な説明】
【技術分野】
【０００１】
本発明は、処方箋のある薬物および処方箋の無い（店頭販売の）薬物に対するリマインダー装置および服薬記録の分野に関する。
【発明の開示】
【０００２】
図示するように、リマインダー装置の一実施例は、カレンダー、グリッドまたはリストの形であり、ラベル上に印刷されて処方箋またはその他の薬物治療を施す容器に習慣的に添付されている。本発明のその他の図示する実施例では、リマインダー装置は習慣的に処方箋を伴う情報シート上に含まれる。
【０００３】
カレンダーあるいはグリッドは、医者によって処方されたとおりの患者にとって特別でかつ薬物にとって特定の曜日、日付、および／または時間である。言い換えると、医者によって与えられた指示が、容器に添付されたラベル上のカレンダー、グリッドまたはリストフォーマット中に、医者が要求する程度に詳細に表示される。カレンダーまたはグリッドは患者および薬物に対して特別にカスタマイズされる。
【０００４】
本発明は、ラベルおよび／または情報シード上のカレンダー、グリッドあるいはリストを提供し、それによって最後の服薬および次の服薬が何時であるかを視覚的に表示する。本発明は、店頭での“ＯＴＣ”薬物に対しても適用可能である。本発明の目的に対して、ＯＴＣ薬剤は、処方箋を必要としない薬、ビタミンまたは客即ち患者の健康を増進することを目的としたサプリメントのすべてを含む。本発明は、患者が薬または薬物を指示されたように取るためのリマインダーとして、さらに服薬記録として利用される。種々の実施形態を通して、患者がカレンダーまたはグリッド上に、薬物を取るように印をつける。その薬物が効かない場合、医者は服薬遵守が実行されていないためにその薬の効果が出ないのかどうかを、服薬記録から決定することができる。
【０００５】
医者によって処方されたものかＯＴＣ薬品かに拘わらず、ほとんどの薬物は、医者、薬剤師および／または薬品会社によって勧められあるいは処方された正しい時間に取った場合、より効果的である。これらの指示に従うことによって、その薬品が期待されるすべての効果を持つための最も良い機会が患者に対して与えられる。処方された通りに服用されない場合、多くの薬物は危害を生じ、あるいはその効果を低減させる。
【０００６】
患者は、往々にして薬を正しく服用していないかどうか心配することがある。多くの患者は、スケジュールされた直前の服用を行ったか否かを思い出すことが難しい。患者が薬を服用したかどうかについてはっきりしない場合、過剰服薬あるいは過少服薬を恐れて、次の服薬の実行を恐れる。この問題は、拘わった薬物によっては不快であり、あるいは重大な問題となる。抗生物質の場合、治療行程に従わないと薬物の効果が減じられ、感染が治癒しない場合がある。別の事例としては経口インシュリンがある。この薬物によって、１）充分なインシュリンを取らない場合、または２）過剰なインシュリンを取った場合、重大な健康上の問題が発生する。このように、処方された通りに薬物を取ったかどうかはっきり思い出せないために、心配することはまれではない。
【０００７】
本発明は、ラベルおよび／または情報シート上に服薬記録を提供することにより、患者の心配を減らす。患者が薬物によって予期された結果を得ることが無い場合、その患者、医者および薬剤師はラベルおよび／または情報シートを見て患者の服用記録が薬物スケジュール通りであるか否かを知ることができる。服用遵守（または服用遵守の不足）は、患者に対して最も良い治療方針を決定するための助けとなる。
【０００８】
本発明は、処方箋産業（即ち、ラベルおよび情報シート）に習慣的に含まれている既存の材料を使用するので、高価ではない。本発明は、所望の指示メッセージと通信することにより、これらの部品を非常に効率的に製造し、かつ患者がこれらの指示を遵守することを促進する。
【０００９】
本発明は、患者が完全に服用遵守することをより達成しやすくする。服用記録が保存されているので、従って患者は薬物治療を完全に遂行しやすい。服用が勧められる曜日、日付および時間を含む完全な指示がラベル上に明示されていた場合、患者は“期限切れの”薬物を服用することがより少なくなる。これにより、薬物の期限切れ状態が補強される。
【００１０】
本発明の図示する実施形態によれば、薬物リマインダーおよび服薬遵守方法は、個人にが服用すべき薬物に関係した情報を生成し、特別に決定された日に対して日毎の服用情報を含むカレンダーを生成し、さらにその個人によって参照される１枚のシート上にカレンダーと薬物情報を結合する、各ステップを含む。
【００１１】
本発明の別の図示する実施形態によれば、投薬リマインダーおよび服薬遵守方法は、個人が投薬を受けるように計画された継続日数を選択し、投薬の開始日を選択し、その個人が取る薬物の服用回数をそれぞれの日に対して選択し、さらに前記選択されたステップに基づいてその薬物に対してそれぞれの日について日毎の服用インジケータを含む日付特定カレンダーを生成する、各ステップを含む。
【００１２】
この図示の方法は、さらに、日毎の服用量の変更が要求されるすべての日を決定するステップと、この決定するステップの間に決定されたそれぞれの日の日毎の服用量を修正するステップを含む。カレンダーは例えば、何時、ある特定の薬物がスケジュールに従って服用されるべきかを示すために、個人による使用に適した印を含んでいる。この印は、例示的に、複数のチェックボックス、時間指定、パンチオフ部分、ピールオフ部分およびスクラッチオフ部分の少なくとも１個を含んでいる。
【００１３】
本発明のさらに別の図示する実施形態では、薬物リマインダーおよび服薬遵守装置は、個人が薬物を取るようにスケジュールされた継続日数を選択する手段と、薬物の開始日を選択する手段と、その個人がそれぞれの日において取るべき薬物の服用回数を選択する手段と、薬物を取るようにスケジュールされたそれぞれの日に対する日毎の服用インジケータを含む日付特定カレンダーを生成するための手段を含む。
【発明を実施するための最良の形態】
【００１４】
米国仮出願第６０／３０６，６０３号を参照して本件に包含させる。図面を参照すると、図１は本発明の薬物カレンダー装置１０を示し、この装置１０では、薬剤師またはアシスタントが薬物情報のデータベース１４とプログラム１６に結合されたコンピュータ１２を使用して、カレンダースタイルのフォーマットを、ラベルおよび／または情報シートを生成しかつ印刷するプロセスに結合する。薬剤師またはアシスタントは、基本的な処方箋または店頭の“ＯＴＣ”薬物情報を、キーボード、マウス、タッチスクリーン、ジョイスティック、音声認識ソフトウエアなどの入力装置１８を使用してコンピュータ１２中に入力する。この情報は、例えば以下にリストアップする領域を含んでいるが、これらの情報領域に限定されるものではない。
【００１５】
１．  患者情報
２．  医者の処方情報
３．  薬物の名前および情報
４．  服用指示
【００１６】
コンピュータ１２は、マイクロプロセッサ、通常のメモリ２０およびディスプレイ２２を含む。コンピュータ１２はさらにプリンタ２４に接続され、このプリンタは以下に説明するようにラベルおよび／または情報シートを印刷する。ソフトウエアは、図２および３に示すように、薬局の従業員に一連の質問あるいはステップを通してカレンダーのフォーマットをレイアウトさせる。
【００１７】
コンピュータ１２は例えば図２および３に示すステップを実行するように、ソフトウエアによってプログラムされている。プログラムは図２のブロック３０でスタートする。コンピュータ１２はブロック３２に示すように、プロンプトを表示してオペレータにラベルおよび情報シートの両方に対してカレンダーフォーマットを使用すべきか否かを質問する。ＮＯの場合、コンピュータ１２は例えば選択ボックスを表示して、標準のラベルまたは情報シート（カレンダーを伴わない）の生成、ラベル上のみのカレンダーフォーマット、または情報シート上のみへのカレンダーフォーマットの生成、をオペレータが選択できるようにする。このステップは、ブロック３４において示されている。標準のラベルおよび情報シートが要求された場合、ラベルおよび情報シートが通常の方法で印刷される。
【００１８】
ラベルおよび情報シートの両方にカレンダーフォーマットを使用することを希望した場合、コンピュータ１２はブロック３６に進み、さらにオペレータに処方箋またはＯＴＣ薬物の継続日数を入力するように促す。プログラムは日数のメニューを表示しまたは日数のマニュアルでの入力を可能としまたはその両方を行う。
【００１９】
一旦、ブロック３６に日数が入力されると、コンピュータ１２はプロンプトを表示して、ブロック３８に示すように処方箋の開始日が今日か否かをユーザに質問する。ＮＯの場合、コンピュータ１２は、ブロック４０に示すように、所望の開始日を入力するようにユーザに促す。開始日が一旦決定されると、コンピュータ１２はブロック４２に進み、プロンプトを表示してユーザに一日の服用回数を入力するように依頼する。例えば、コンピュータ１２は、処方された薬品または薬剤に対して最も一般的な日毎の服用量をデフォルトで示す。プログラムは次に、もし必要であれば、代替的な服用回数の入力を可能とする。
【００２０】
一日の服用回数がブロック４２で入力されると、ブロック４４および図３に示すように、コンピュータ１２はプロンプトを表示してユーザに、丸一日分の服用より多いか少ないことを要する日があるか否かを質問する。ある場合、コンピュータはオペレータに、処方された通常の服用量とは異なる特別な日に対する服用回数を入力するように促す。オペレータはブロック４６で、選択した日を入力し次に修正された服用量を入力する。例えば、その日遅く記入された処方箋は、その日が部分的でしかないので、最初の日の薬物は少なくて良い。例えば、図４において５月８日火曜日に対する入力を参照されたい。さらに、ある種の薬品、例えば抗生物質は処方の初期の日々において２倍の服用量を要する。
【００２１】
次に、コンピュータ１２はプロンプトを表示してオペレータに、特別な服用時間の指定が必要か否かを質問する。必要でない場合、図４に示すように、コンピュータ１２はラベルおよび／または情報シートを生成しかつ表示してオペレータに見えるようにする。
【００２２】
ブロック４８でオペレータが特別な服用時間を指定することを要求した場合、コンピュータ１２はオペレータに、薬物の各服用時間の指定を入力することを可能とする。例えば、最初の服用時間指定は、ブロック５０において決定され、さらに２番目の服用時間の指定はブロック５２において決定される。さらに、日毎の服用量を、同様の指定スクリーンを使用して指定することが可能である。指定された服用回数は、ブロック４２で選択された服用回数に対応する。オペレータは次に、ラベルまたは情報シートを修正しまたは印刷する。一旦すべての日毎の服用時間が指定されると、コンピュータ１２はブロック４９に進みラベルまたは情報シートを表示する。
【００２３】
ブロック５０および５２に示されたこれらの服用時間の記載は、使用可能なものの一例である。薬剤師は、ブロック５０および５２にリストされていないものを含む全ての時間指定を入力することができる。当業者は、患者が服用スケジュールを守るように助けるのに適した全ての記述を利用することができることを理解する。これらの記述は、薬剤師毎にかつ患者毎に相違する。
【００２４】
図４は本発明のカレンダーグリッドの１実施形態を示す。例えば、コンピュータ１２はディスプレイ上にグリッドを表示し、薬局の従業員がグリッドを印刷する前にチェックし修正することを可能とする。
【００２５】
カレンダーフォーマット出力のオプションとして以下のものを含むが、これらに限定されるものではない。
【００２６】
１．図７に示すように、処方箋またはＯＴＣ薬物を伴う情報シート６７．
２．家庭のコンピュータを介して患者／顧客によってアクセスされるカレンダー。この実施形態では、顧客／患者は彼等のカレンダーをオンラインで見て服用記録を“オンライン”で保持し、またはそのカレンダーを印刷して紙の上に服用記録を取っておくことができる。この実施形態では、顧客は自身のコンピュータを使用してリモートのウエブサイトにアクセスする。顧客は、図２および３におけるのと類似の一連の質問に答え、彼または彼女自身のカレンダーまたは情報シートを生成する。上記で議論したように、顧客はカレンダーまたは情報シートをマニュアルでプリントしあるいは希望する場合、服用記録をオンラインで更新することができる。
【００２７】
３．図５および６に示す投薬ビン６４または水薬ビンのためのラベル６２。
４．図８に示す、処方箋またはＯＴＣ薬物ボックスまたは容器６８のためのラベル６６または指示シート６７。
【００２８】
この出願に開示されているカレンダー、グリッドおよびリストはローカルコンピュータに記憶され、あるいはリモートコンピュータまたはサーバから通信ネットワークまたはインターネットを介してローカルコンピュータによってアクセスされる。
【００２９】
本発明の好ましい実施形態は、曜日、日付および／またはこの患者に対して処方された服用の時間を示す、カスタマイズされたカレンダー、グリッドあるいはリストである。カスタマイズされたカレンダーフォーマットが使用される場合、好ましい実施形態では薬物スケジュールをカレンダー中に一体化する。図４、６および８を参照のこと。本発明の目的に対して、“カレンダー”に対する全ての言及は、全てのカレンダー様のフォーマット、グリッド、さらに勧められる服用の曜日、日付および時間の全構成要素のリストを含む。
【００３０】
本発明は、薬品あるいは薬物のサイクルを通して薬物の服用量を変えることを可能とする。この応用の一例は抗生物質である。医者は、患者が最初の何日か投薬量を“二倍”とし、その後勧められたサイクルの残りの期間に対して単量の服用に復帰するように、処方することができる。本発明は、注文過程を通してどのような変更にも応じ得る。
【００３１】
その他の実施形態においては、通常のラベルのサイズを小さくして第２のラベルのための場所を形成する。この第２のラベルは、勧められたスケジュールでの服用を勧めるために、曜日、日付および時間の全ての組み合わせを用いるカレンダーを含んでいる。本発明では、薬局、ラベル製造業者、薬品会社、ビタミンまたはサプリメント提供業者および医薬品会社は、カレンダー、グリッドまたはリストを読みやすくするためにラベルを拡大することを望むこともある。彼等は、ラベルを大きくし読みやすくするために、薬品をより大きな容器に入れることを望む場合もある。
【００３２】
本発明のその他の実施形態は、年配の患者に特に便利である。薬剤師は患者に、どのようなリマインダーをスケジュールされた服用時間に一致させるかについて、質問することができる。これらの各個人に合わせたリマインダーは、薬剤師によってカレンダーマトリックスに入力され、カレンダー、グリッドまたはリストをその患者に対してさらに適合したものとする。図３のブロック５０および５２を参照のこと。これらのリマインダーは、患者の記憶を呼び覚ます働きをするどのようなものでも良い。患者は、適正な薬物スケジュールのリマインダーとして働く何らかのものにカスタマイズされている場合、そのスケジュールに従いやすい。例えば、このリマインダーは“イブニングニュースの間に飲みなさい”、あるいはその他のカスタマイズされたリマインダーであっても良い。
【００３３】
本発明は、処方箋またはＯＴＣ薬物を伴う全てのラベルまたは情報シート上の曜日、日付、時間のあるもの、あるいは全ての組み合わせを含む。一実施形態では、情報シート６０、６７は、シート６０、６７の一端上の（ポストイット（登録商標）ノートと類似した）粘着付箋を含む。これによって、患者が自身の薬物スケジュールを思い出すのに適した場所、例えば、鏡、冷蔵庫等にシート６０、６７を表示するのが可能となる。
【００３４】
ＯＴＣ“店頭販売”
上述したように、本発明は店頭販売の“ＯＴＣ”薬物に対しても使用可能である。本発明の目的のために、“ＯＴＣ薬物”は、顧客または患者の健康を増進することを意図する、処方箋を伴わない医薬品、ビタミンおよび／またはサプリメントの全てを含む。本発明は、薬剤提供業者、製造業者、小売店および／または薬局によって提供される。薬品製造業者または提供業者が本発明を使用する場合、彼らは‘一般的な’ラベルまたは情報シートを作って、医薬品を収容するパッケージ上あるいはパッケージ内に薬物を添える。この実施形態において、カレンダー、グリッドあるいはリストは、曜日、日付および／または時間が必要に応じて空白のまま残される。図７のシート６０を参照のこと。勧められた服用および患者情報が、販売の間あるいはその後で、必要に応じて一般的なカレンダー上に含められる。患者または薬剤師は、第１回目の服用を勧められた開始の曜日および／または日付および／または時間から始めてグリッドを記入して行く。これにより、カレンダーまたはグリッドがその患者およびその治療に対してカスタマイズされる。これにより、勧められた服用により良く従うように仕向けられる。本発明の目的に対して、‘薬剤師’としての言及は、小売店または小売施設において薬剤をＯＴＣであるいは処方箋により販売しあるいは管理して、患者または顧客をその薬物によって助けることが可能な全ての人間を含む。これは、店員、アシスタントまたはインターン等を含む。
【００３５】
その他の実施形態において、薬剤師は、患者のデータを、勧められたＯＴＣ薬剤服用スケジュールと共に複数の処方箋を、ラベルおよび／または情報シート印刷システムに入力する。印刷された服用スケジュールのカレンダー、グリッド、あるいは薬品を提供するリストは薬品容器および／またはパッケージに添付される。カスタマイズされたカレンダー、グリッドまたはリストは、患者の利用のために情報シート上に印刷される。
【００３６】
一実施形態において、顧客および／または患者は遠隔のウエブサイトにアクセスし、処方箋および／またはＯＴＣ製品に関連する情報を入力する。次に、カレンダー、グリッドまたはリストを発生し、印刷されあるいは服用経過を追跡するためにリモートサイトにおいて“オンライン”で記憶され、あるいは顧客／患者のコンピュータ内に記憶される。
【００３７】
本発明のこれら種々の実施形態は、最後の服用あるいは塗布が何時であったかおよび次の服用または塗布が何時勧められているかに関する患者へのリマインダーとして利用される。さらに、そのリマインダーを持つことで患者が完全な服用を達成しやすくなる、服用のための補助装置（ブースター）としても利用することができる。患者が投薬の勧められたスケジュールを完全に守る場合、薬剤および／または薬品がより大きな効果を生じやすくなる。これらのＯＴＣおよび処方箋の実施形態は、医薬品の服用を追跡するために、以下に議論するいずれかのマーキングを使用する場合がある。
【００３８】
マークの説明
本発明は、オブジェクトおよびマーキングの種々の実施例をカレンダー、グリッドまたはリスト上に使用することを可能とする。これらのオブジェクトおよびマーキングは、リマインダーとして利用され、かつ患者の医薬品服用の記録として利用される。オブジェクトの種々の実施形態として、ボックス、円、楕円が含まれる。当業者は、服薬の遵守を助けかつ服用の記録を維持するために、その他のオブジェクトまたはマーキングを一体にすることを希望する場合がある。本発明は全てのタイプのリマインダーオブジェクトおよび服薬遵守マーカーを含む。図示した実施形態のあるものは以下のものを含む。
【００３９】
患者がオブジェクトをマークしまたはその中に記入する：図９参照。
患者がオブジェクトを消去する：図１０参照。
患者がオブジェクトにパンチ穴をあけあるいは裂け目を入れる：図１１参照。
患者がオブジェクトを剥ぎ取る：図１２参照。
患者がスクラッチする（抽選券のように）：図１３参照。
【００４０】
本発明は図示の実施形態を参照して詳細に説明されているが、本発明の範囲内には、請求の範囲に記載するように種々の変形および修正が存在する。
【図面の簡単な説明】
【００４１】
【図１】本発明の薬物カレンダー生成装置の概略図。
【図２】薬物の決定された日毎の服用量に関する情報を含むカレンダー、グリッドまたはリストを生成するために、本発明のシステムによって実行されるステップを示すフローチャート。
【図３】薬物の決定された日毎の服用量に関する情報を含むカレンダー、グリッドまたはリストを生成するために、本発明のシステムによって実行されるステップを示すフローチャート。
【図４】本発明のコンピュータ上の、印刷すべきサンプルラベルを示す例示的なディスプレイスクリーン。
【図５】薬物ビン上のラベルを示す図。
【図６】薬物ビンに貼り付けられたラベルのその他の実施形態を示す図。
【図７】薬品ボックス内に配置されたカレンダーを示す図。
【図８】本発明の異なる実施形態に従ったカレンダーおよび指示シートを示す図。
【図９】薬物の特定の服用量が服用されたことを示すために、カレンダー、グリッドまたはリストの部分にマークするための、代替的な実施形態を示す図。
【図１０】薬物の特定の服用量が服用されたことを示すために、カレンダー、グリッドまたはリストの部分にマークするための、代替的な実施形態を示す図。
【図１１】薬物の特定の服用量が服用されたことを示すために、カレンダー、グリッドまたはリストの部分にマークするための、代替的な実施形態を示す図。
【図１２】薬物の特定の服用量が服用されたことを示すために、カレンダー、グリッドまたはリストの部分にマークするための、代替的な実施形態を示す図。
【図１３】薬物の特定の服用量が取られたことを示すために、カレンダー、グリッドまたはリストの部分にマークするための、代替的な実施形態を示す図。
【図１】
2005509211.tif 000003
【図２】
2005509211.tif 000004
【図３】
2005509211.tif 000005
【図４】
2005509211.tif 000006
【図５】
2005509211.tif 000007
【図６】
2005509211.tif 000008
【図７】
2005509211.tif 000009
【図８】
2005509211.tif 000010
【図９】
2005509211.tif 000011
【図１０】
2005509211.tif 000012
【図１１】
2005509211.tif 000013
【図１２】
2005509211.tif 000014
【図１３】
2005509211.tif 000015
【国際調査報告】
2005509211.tif 000016